(57)【要約】【課題】使い勝手のよい生体試料測定装置を提供する。【解決手段】本発明の生体試料測定装置は、幅方向に対して縦方向が長い本体ケース１と、本体ケース１の縦方向の第１端側に設けられたデータ読み取り部３と、本体ケース１の縦方向の第２端側に設けられたセンサ装着部４と、本体ケース１の第１端側の表面に設けられた表示部５と、を備えている。そして、本体ケース１の裏面におけるセンサ装着部４側には、本体ケース１の幅方向に沿って形成された指当て溝６が設けられている。そして、本体ケース１において、指当て溝６から第２端側の重量が、指当て溝６から第１端側の重量よりも軽くなるように構成されている。【選択図】図４
2012065873.tif 000002
【特許請求の範囲】
【請求項１】
第１方向に対して前記第１方向に直交する第２方向が長い本体ケースと、
前記本体ケースにおける前記第２方向の一端となる第１端側に設けられたデータ読み取り部と、
前記本体ケースにおける前記第２方向の他端となる第２端側に設けられたセンサ装着部と、
前記本体ケースにおける前記第１端側の表面に設けられた表示部と、
前記本体ケースの裏面側における前記表示部よりも前記センサ装着部側に設けられており、前記本体ケースの前記第１方向に沿って形成された指当て溝と、
を備え、
前記本体ケースにおける前記指当て溝から前記第２端側の重量は、前記本体ケースにおける前記指当て溝から前記第１端側の重量よりも軽い、
生体試料測定装置。
【請求項２】
前記本体ケースの裏面における前記第１端側に設けられ、電池を出し入れする際に開閉される電池蓋を、さらに備えている、
請求項１に記載の生体試料測定装置。
【請求項３】
前記本体ケースの前記第２端側における幅寸法は、前記本体ケースの前記第１端側の幅寸法よりも小さい、
請求項１または２に記載の生体試料測定装置。
【請求項４】
前記本体ケースの表面における前記指当て溝に対応する部分に設けられた操作部を、さらに備えている、
請求項１から３のいずれか１項に記載の生体試料測定装置。
【請求項５】
前記データ読み取り部は、バーコードリーダを有し、
前記操作部は、前記バーコードリーダの実行キーを構成する、
請求項４に記載の生体試料測定装置。
【発明の詳細な説明】
【技術分野】
【０００１】
本発明は、例えば、血糖値や乳酸値などの生体試料を測定する生体試料測定装置に関するものである。
【背景技術】
【０００２】
従来の生体試料測定装置は、以下のような構成になっていた。
すなわち、従来の生体試料測定装置は、第１方向（幅方向、短手方向）に対して第１方向に直交する第２方向（長手方向）が長い本体ケースと、この本体ケースの第２方向における一端となる第１端側に設けられたデータ読み取り部及びセンサ装着部と、本体ケースの第１端側の表面に設けられた表示部と、を備えていた（例えば、特許文献１参照）。
【０００３】
以上の構成において、測定者は、まず本体ケースの第１端の反対側（第２端側）を握った状態で、データ読み取り部によって測定者のＩＤデータ、患者のＩＤデータ、センサのＩＤデータを読み取らせる。次に、測定者は、センサをセンサ装着部に装着し、その後、患者の指を穿刺する。これにより、患者の指から滲み出した血液等をセンサに導入することで、例えば、血糖値を測定していた。
【先行技術文献】
【特許文献】
【０００４】
【特許文献１】特表２００２−５２１６９２号公報
【発明の概要】
【発明が解決しようとする課題】
【０００５】
しかしながら、上記従来の生体試料測定装置は、以下に示すような課題を有していた。
すなわち、上記従来の構成においては、本体ケースの第１端側にセンサ装着部を設けているが、この第１端側には、表示部も設けられている。その結果、この第１端側は、第２端側に比べて重量が重くなり、装置の重量バランスが偏っていた。
【０００６】
従って、この第１端側に装着されたセンサを患者の穿刺部分に正確に当接させる作業が難しくなってしまう。このため、測定者は、センサを指の穿刺部分から滲み出した血液をすくうように操作してしまったり、このセンサを穿刺部分から滲み出した血液に押し付けるように操作してしまったりしてしまう場合がある。このような場合には、例えば、血糖値を適切に測定できないことがあるため、センサを交換して、再度、上述した測定操作を繰り返さなければならなくなる。よって、従来の構成は、測定者によって使い勝手が悪いものであった。
【０００７】
そこで、本発明は、使い勝手の良い生体試料測定装置を提供することを目的とするものである。
【課題を解決するための手段】
【０００８】
以上の目的を達成するために、本発明の生体試料測定装置は、本体ケースと、データ読み取り部と、センサ装着部と、表示部と、指当て溝と、を備えている。本体ケースは、第１方向に対して第１方向に直交する第２方向が長い。データ読み取り部は、本体ケースにおける第２方向の一端となる第１端側に設けられている。センサ装着部は、本体ケースにおける第２方向の他端となる第２端側に設けられている。表示部は、本体ケースにおける第１端側の表面に設けられている。指当て溝は、本体ケースの裏面側における表示部よりもセンサ装着部側に設けられており、本体ケースの第１方向に沿って形成されている。そして、本体ケースにおける指当て溝から第２端側の重量は、本体ケースにおける指当て溝から第１端側の重量よりも軽い。
【０００９】
ここで、上記第１・第２方向とは、例えば、略直方体形状の生体試料測定装置を手に持って使用する際の幅方向（短手方向）およびこれに直交する縦方向（長手方向）を意味している。
【００１０】
ここでは、本体ケースにおける表示部とは反対側（第２端側）にセンサ装着部を設けるとともに、本体ケースの裏面における表示部よりセンサ装着部側に、この第１方向に沿って指当て溝を設けている。そして、この指当て溝の位置を基準にして、本体ケースの第１端側の重量よりも、指当て溝から本体ケースの第２端側の重量を軽くしている。
これにより、センサ装着部に装着されたセンサを患者の穿刺部分に当接させる作業は、重量の重い本体ケースの第１端側を保持した状態で、重量の軽い本体ケースの第２端側を患者の穿刺部分に接近させて安定的に行うことができる。この結果、患者の穿刺部分に対してセンサを当接させる作業を安定した状態で容易に行うことができる。よって、穿刺部分の血液をすくうようにセンサを操作してしまったり、穿刺部分の血液に押し付けるようにセンサを操作してしまったりしてしまうことがなくなり、例えば、血糖値の測定を短時間で適切に実施することが可能な使い勝手の良い生体試料測定装置を得ることができる。
【発明の効果】
【００１１】
本発明によれば、例えば、血糖値の測定を短時間で適切に実施することが可能な使い勝手の良い生体試料測定装置を得ることができる。このような効果は、例えば、病院などのように、多くの患者から短時間で適切に生体試料を測定する必要のある部署においては、きわめて高く評価されるべきものとなる。
【図面の簡単な説明】
【００１２】
【図１】本発明の実施の形態１にかかる生体試料測定装置の斜視図。
【図２】図１の生体試料測定装置の表面側の斜視図。
【図３】図１の生体試料測定装置の上面図。
【図４】図１の生体試料測定装置の側面図。
【図５】図１の生体試料測定装置の裏面側の斜視図。
【図６】図１の生体試料測定装置の電気的制御ブロック図。
【図７】図１の生体試料測定装置の動作フローチャート。
【図８】図１の生体試料測定装置の使用状態を示す斜視図。
【図９】図１の生体試料測定装置の使用状態を示す斜視図。
【図１０】図１の同生体試料測定装置の使用状態を示す斜視図。
【図１１】図１の生体試料測定装置の使用状態を示す斜視図。
【図１２】図１の生体試料測定装置の使用状態を示す斜視図。
【図１３】図１の生体試料測定装置の使用状態を示す斜視図。
【図１４】本発明の実施の形態２に係る生体試料測定装置の斜視図。
【図１５】図１４の生体試料測定装置の動作説明図。
【発明を実施するための形態】
【００１３】
以下、本発明の一実施形態に係る生体試料測定装置として、血糖値を測定する場合を例として挙げて図面を用いて説明する。
【００１４】
なお、以下の説明において、「幅方向」とは、生体試料測定装置を手に持った使用状態（図９等参照）における横方向（短手方向）を意味している。また、「縦方向」とは、生体試料測定装置を手に持った使用状態（図９等参照）における縦方向（長手方向）を意味している。
【００１５】
（実施の形態１）
図１において、１は生体試料測定装置の本体ケースである。本体ケース１は、上面が開口したクレードル２に着脱自在に装着されている。
【００１６】
本体ケース１は、図２から図５に示すように、幅方向（第１方向）に対して縦方向（第２方向）が長い形状となっている。本体ケース１の第２方向の一端側（第１端側）（図２中の右側）には、例えば、バーコードリーダ等のデータ読み取り部３が設けられている。さらに、本体ケース１の第２方向の他端側（第２端側）（図２中の左側）には、センサ装着部４が設けられている。
【００１７】
また、本体ケース１の第１端側の表面には、図２、図３に示すように、縦長長方形の表示部５が設けられている。さらに、本体ケース１の裏面側における表示部５よりセンサ装着部４側には、図４、図５に示すように、本体ケース１の幅方向に沿って、使用時に測定者の指が当接される指当て溝６が設けられている。
【００１８】
そして、本実施形態においては、本体ケース１において、指当て溝６から第２端側（センサ装着部４側）の重量を、指当て溝６から第１端側（表示部５側）の重量よりも軽くしている。なお、これは、本体ケース１の指当て溝６より第１端側には、表示部５等の比較的重量の大きな構成が配置されていることに起因するものである。
【００１９】
図２、図３に戻って説明を続けると、本体ケース１における裏面側に設けられた指当て溝６に対応する表面側の位置には、操作部７が配置されている。また、操作部７とセンサ装着部４との間には、センサ８（図１３参照）をセンサ装着部４外に排出するためのセンサ排出レバー９が配置されている。
【００２０】
また、図４、図５に示すように、本体ケース１の裏面側における指当て溝６とデータ読み取り部３との間には、電池１５を出し入れする際に開閉される電池蓋１０が配置されている。電池蓋１０の内側には、電池１５が装填される電池収納部が設けられている。そして、電池蓋１０とデータ読み取り部３の間には、滑り止め用のゴム脚１１が配置されている。さらにまた、指当て溝６とセンサ装着部４との間にも同様に、滑り止め用のゴム脚１２が配置されている。
【００２１】
以上の構成において、本実施形態においては、図４に示すように、本体ケース１の重心位置１Ａが、指当て溝６からデータ読み取り部３側（第１端側）に設定されている。
【００２２】
また、図３からも明らかなように、本体ケース１の横幅は、表示部５部分が最も大きく、この表示部５からセンサ装着部４側に向けて、徐々に小さくなっている。つまり、センサ装着部４側の横幅が、最も小さくなるように設定されている。
【００２３】
図６は、生体試料測定装置の電気的制御ブロック図である。よく知られているように、制御部１３には、クレードル２との接続端子２ａ、データ読み取り部３、センサ装着部４、表示部５が接続されている。但し、センサ装着部４と制御部１３との間には、測定部１４が設けられている。なお、図６において、１５は電池蓋１０の内面側の本体ケース１内に配置された電池を示しており、また、１６は本体ケース１内に配置された記録部であって血糖値などを記録するものである。
【００２４】
以上の構成の生体試料測定装置を用いて、例えば、病院で患者の血糖値を測定する手順を、図７から図１４を用いて説明する。
【００２５】
具体的には、まず、測定者（看護師等）は、操作部７を操作して表示部５に検体測定時起動画面を表示させる（図７のＳ１）。
【００２６】
次に、図８に示すように、測定者（看護師）の名札１７にバーコードで表示されたＩＤ
データ１８を、データ読み取り部３で読み取る（図７のＳ２）。そして、このＩＤデータ１８は、記録部１６に記録される。
【００２７】
次に、図９に示すように、患者の手に嵌めたリストバンド１９にバーコードで表示されたＩＤデータ２０を、データ読み取り部３で読み取る（図７のＳ３）。そして、このＩＤデータ２０は、記録部１６に記録される。
【００２８】
次に、図１０に示すように、測定者（看護師等）は、センサ８（図１３参照）が複数枚収納されたセンサボトル２１にバーコードで表示されたＩＤデータ２２を、データ読み取り部３で読み取る（図７のＳ４）。そして、このＩＤデータ２２は、記録部１６に記録される。
【００２９】
さて、図８から図１０で示したＩＤデータ１８，２０，２２を読み取る時には、図１１、図１２に示すように、測定者（看護師等）は、その中指２３を指当て溝６内に当接させた状態で、本体ケース１のセンサ装着部４側を握った状態で、操作部７の操作を行う。
【００３０】
ここで、上述したように、この本体ケース１の重心位置１Ａは、図４に示すように、この指当て溝６よりも、データ読み取り部３側にある。このため、図８から図１０に示す操作時には、測定者（看護師等）の手に若干の負荷がかかることになる。しかし、本実施形態においては、測定者（看護師等）の中指２３を指当て溝６内に当接させた状態で、本体ケース１のセンサ装着部４側を握った状態で、操作部７の操作をすることになる。これにより、図８から図１２に示す操作について、測定者（看護師等）は安定した状態で操作することができるため、従来よりも操作時の負荷を低減することができる。
【００３１】
以上の操作が完了すると、測定者（看護師等）は、操作部７を操作して、記録部１６から読み出したＩＤデータ１８、２０、２２を表示部５に表示させる。そして、これまでの操作が適切に行われているか否かの確認を行う（図７のＳ５）。
【００３２】
次に、測定者（看護師等）は、センサボトル２１からセンサ８（図１３参照）を１枚取り出し、図１３に示すように、センサ装着部４に装着する。具体的には、センサ８の端部に設けられた電極部がセンサ装着部４内に挿入されるように、センサ８がセンサ装着部４へ装着される（図７のＳ６）。
【００３３】
ここで、このようなセンサ８のセンサ装着部４への挿入、およびその後の操作については、図１３に示すように、本体ケース１の第１端側（つまり、表示部５側）を持った状態で行われる。具体的には、例えば、図１３に示すように、測定者（看護師等）は、本体ケース１の第１端側の裏面側を手のひらに載せ、中指２３を指当て溝６内に入れた状態で各操作が行われる。つまり、上述したＩＤデータ１８等の読み取り操作時とは反対側の端部（第１端）を測定者が持った状態で、センサ８のセンサ装着部４への装着以降の各操作が実施される。
【００３４】
さて、図１３は、例えば、患者の人差し指２４の穿刺部分２５から滲み出した血液２６から患者の血糖値を測定しようとしている場面を示している。なお、この血糖値の測定の前段階として、測定者（看護師等）は、患者の人差し指２４の穿刺部分２５に対して、穿刺器具（図示せず）を用いて穿刺動作を行い、それにより、穿刺部分２５から血液２６を流出させる。
【００３５】
この状態になると、測定者（看護師等）は、図１３に示すように、センサ８における上記電極部とは反対側の端部を、血液２６に当接させる（図７のＳ７）。
【００３６】
この時、正確な血糖値の測定を行うために注意すべきは、穿刺部分２５の血液２６をすくうようにセンサ８を操作してしまったり、穿刺部分２５の血液２６に押し付けるようにセンサ８を操作してしまったりしないことである。つまり、穿刺部分２５の血液２６に対してセンサ８を接触させ、センサ８の血液導入部における毛細管現象によって血液２６がセンサ８に吸引される状態とすることが重要である。
【００３７】
このような、穿刺部分２５の血液２６に対して、センサ８を当接させる微妙な操作が簡単に行えるように、本実施形態では、上述したような構成を採用している。
【００３８】
すなわち、本実施形態においては、本体ケース１の第２端側にセンサ装着部４を設けるとともに、本体ケース１の裏面側における中央部分よりもセンサ装着部４側寄りの位置に、本体ケース１の横方向に沿って形成された指当て溝６を設けている。そして、本体ケース１における指当て溝６から第２端側の重量を、指当て溝６から第１端側の重量よりも軽くしたものである。換言すれば、本実施形態の生体試料測定装置は、本体ケース１の重心位置を、表示部５が配置された第１端側寄りに配置されるように構成されている。
【００３９】
このため、センサ装着部４に装着されたセンサ８を患者の穿刺部分２５に当接させる操作は、重量の重い本体ケース１の第１端側を保持した状態で、重量の軽い本体ケース１の第２端側を患者の穿刺部分２５に接近させて行うことができる。
【００４０】
従って、患者の穿刺部分２５にセンサ８を当接させる微妙な作業を従来よりも容易に行うことができる。このような効果は、多くの患者から短時間で適切に生体試料を測定する必要のある部署（例えば、病院など）においては、きわめて高く評価されるべきものとなる。
【００４１】
このような操作によって、センサ８の端部に血液２６が点着されると、図６の測定部１４において測定が開始される（図７のＳ８）。そして、その１０秒後には、測定結果が表示部５に表示される（図７のＳ９）。
【００４２】
この測定結果は、上述したＩＤデータ１８，２０，２２に関連付けされた状態で、記録部１６に記録される。
【００４３】
次に、測定者（看護師等）は、センサ排出レバー９を、図１３の左側（本体ケース１の第２端側の外方）に向けて操作し、センサ装着部４からセンサ８を本体ケース１外に廃棄する（図７のＳ１０）。
【００４４】
次に、測定者（看護師等）は、操作部７を操作することで、記録部１６に記録されたＩＤデータ１８，２０，２２と測定データとを表示部５に表示させ（図７のＳ１１）、血糖値の測定が完了する（図７のＳ１２）。
【００４５】
その後、本体ケース１を、図１に示すように、クレードル２に装着すると、図５に示す本体ケース１の裏面に設けられた通信窓２７を介して、上述したＩＤデータ１８、２０、２２と測定データとがクレードル２に転送される（図７のＳ１３）。そして、転送されたＩＤデータ１８，２０，２２と測定データとは、クレードル２から病院内のホストコンピュータに転送される（図７のＳ１４）。
【００４６】
以上のように、本実施形態の生体試料測定装置は、測定者が装置を手で持つ際に触れる指当て溝６を基準位置とし、表示部５や電池１５等の重量物が配置された第１端側と、センサ８が装着されるセンサ装着部４が配置された第２端側との重量バランスを最適化している。
【００４７】
すなわち、微妙な操作が必要となるセンサ８へ血液等を付着させる操作時に、重心位置のある第１端側を持って安定的に操作できるように構成されている。
【００４８】
これにより、測定者は、軽い側を持って重い側の端部に血液等を付着させる必要がなくなるため、従来よりも使い勝手のよい装置を得ることができる。
【００４９】
（実施の形態２）
図１４、図１５は、本発明の実施の形態２に係る生体試料測定装置の構成を示している。本実施形態の生体試料測定装置は、上記実施の形態１において説明したデータ読み取り部３の操作をさらに簡単に行えるようにしたものである。
【００５０】
つまり、このデータ読み取り部３は、上述した図７から図１３に示す測定動作時に活用される。
【００５１】
具体的には、上記実施形態１と同様に、例えば、病院で患者の血糖値を測定する時は、まず、測定者（看護師等）は、操作部７を操作することで、表示部５に検体測定時起動画面を表示させる（図７のＳ１）。
【００５２】
本実施形態においては、測定者（看護師等）が操作部７を構成する電源スイッチ７ａを操作すると、図１５（ａ）に示す画面が表示される。図１５（ａ）においては、上段に測定者ＩＤを入力する画面である表示５ａが表示される。そして、表示５ａにおける下方には、測定者ＩＤをバーコードリーダで読み取る際に選択される表示５ｂ、測定者ＩＤを直接入力する際に選択される表示５ｃ、測定者ＩＤを入力しない際に選択される表示５ｄが表出している。
【００５３】
電源スイッチ７ａを操作した時には、このうちの表示５ｂが選択された状態となっている。
【００５４】
従って、測定者は、測定者ＩＤをバーコードリーダで読み取らせることを選択した場合には、表示５ｂを選択して操作部７を構成する実行キー７ｂを押下することで、測定者ＩＤをバーコードリーダによって取得することができる。
【００５５】
具体的には、このバーコードリーダは、データ読み取り部３において行われる操作であるから、図８に示すように、測定者（看護師）の名札１７にバーコードで表示されたＩＤデータ１８を、データ読み取り部３によって読み取る（図７のＳ２）。読み取られた測定者（看護師）のＩＤデータ１８は、図１５（ｂ）に示すように、表示部５にＩＤデータ５ｅとして表示される。測定者（看護師等）は、ＩＤデータ５ｅを確認した後、操作部７を構成する十字キー７ｃによって、この測定者（看護師等）のＩＤ入力を完了する際に選択される表示５ｆを選択して実行キー７ｂを押下する。すると、このＩＤデータ１８は、記録部１６に記録される。
【００５６】
なお、図１５（ｂ）の表示５ｇは、ＩＤデータ１８の読み直しを指示する際に選択される。
【００５７】
次に、測定者（看護師等）は、図９に示すように、患者の手に嵌めたリストバンド１９にバーコードで表示されたＩＤデータ２０を、データ読み取り部３で読み取る（図７のＳ３）。ここで、図１５（ｂ）において、測定者（看護師等）が入力完了を示す表示５ｆを選択した場合には、図１５（ｃ）において、バーコードリーダで読み取る際に選択される表示５ｂが選択された状態となっている。このため、この時も実行キー７ｂを押下すると、再びバーコードリーダによって患者ＩＤ入力を行うことが可能である。
【００５８】
なお、図１５（ｃ）において、符号５ｈは患者ＩＤを入力する画面を示しており、最も上段に表示されている。
【００５９】
読み取られた患者のＩＤデータ２０は、図１５（ｄ）に示すように、ＩＤデータ５ｉとして表示部５に表示される。測定者（看護師等）は、ＩＤデータ５ｉを確認した後、操作部７を構成する十字キー７ｃによって、患者ＩＤ入力を完了する際に選択される表示５ｆを選択して実行キー７ｂを押下する。すると、ＩＤデータ２０は、記録部１６に記録される。
【００６０】
次に、図１０に示すように、測定者（看護師等）は、センサ８（図１３参照）を複数枚収納したセンサボトル２１にバーコードで表示されたＩＤデータ２２を、データ読み取り部３で読み取る（図７のＳ４）。このとき、図１５（ｄ）において、測定者（看護師等）が入力完了を示す表示５ｆを選択すれば、図１５（ｅ）において、バーコードリーダで読み取る際に選択される表示５ｂが選択されている。このため、この場合も、実行キー７ｂを押下することで、センサボトル２１のＩＤデータ２２の入力をバーコードリーダによって行うことが可能である。
【００６１】
なお、この図１５（ｅ）において、符号５ｋは、センサボトル２１のＩＤデータ２２を入力する画面を示しており、最も上段に表示される。
【００６２】
読み取られたセンサボトル２１のＩＤデータ２２は、図１５（ｆ）に示すように、表示部５にＩＤデータ５ｊとして表示される。測定者（看護師等）は、ＩＤデータ５ｊを確認した後、操作部７を構成する十字キー７ｃによって、このセンサボトル２１のＩＤデータ２２の入力を完了する際に選択される表示５ｆを選択して実行キー７ｂを押下する。すると、ＩＤデータ２２は、記録部１６に記録される。
【００６３】
以上のように、本実施形態においては、測定者（看護師等）のＩＤデータ１８、患者のＩＤデータ２０、センサボトル２１のＩＤデータ２２を、バーコードリーダを用いたデータ読み取り部３で簡単に読み込むことができる。しかも、これらの操作は、表示部５に表示された内容を見ながら、指当て溝６の直上に位置する実行キー７ｂを操作するだけで簡単に行うことができるので、従来よりも容易かつ安定した状態で操作することができる。
【産業上の利用可能性】
【００６４】
本発明は、例えば、血糖値の測定を短時間で適切に実施することができるため、生体試料測定装置の使い勝手を向上させることができ、例えば、病院などのように、多くの患者から短時間で適切に生体試料を測定する必要のある部署においては、きわめて高く評価されるべきものとなるという効果を奏することから、血糖値や乳酸値などの生体試料を測定する各種の生体試料測定装置に対して広く活用可能である。
【符号の説明】
【００６５】
１    本体ケース
１Ａ  重心位置
２    クレードル
２ａ  接続端子
３    データ読み取り部
４    センサ装着部
５    表示部
５ａ  表示
５ｂ  表示
５ｃ  表示
５ｄ  表示
５ｅ  ＩＤデータ
５ｆ  表示
５ｇ  表示
５ｈ  画面
５ｉ  ＩＤデータ
５ｊ  ＩＤデータ
５ｋ  画面
６    指当て溝
７    操作部
７ａ  電源スイッチ
７ｂ  実行キー
７ｃ  十字キー
８    センサ
９    センサ排出レバー
１０    電池蓋
１１    ゴム脚
１２    ゴム脚
１３    制御部
１４    測定部
１５    電池
１６    記録部
１７    名札
１８    ＩＤデータ
１９    リストバンド
２０    ＩＤデータ
２１    センサボトル
２２    ＩＤデータ
２３    中指
２４    人差し指
２５    穿刺部分
２６    血液
２７    通信窓
【図１】
2012065873.tif 000003
【図２】
2012065873.tif 000004
【図３】
2012065873.tif 000005
【図４】
2012065873.tif 000006
【図５】
2012065873.tif 000007
【図６】
2012065873.tif 000008
【図７】
2012065873.tif 000009
【図８】
2012065873.tif 000010
【図９】
2012065873.tif 000011
【図１０】
2012065873.tif 000012
【図１１】
2012065873.tif 000013
【図１２】
2012065873.tif 000014
【図１３】
2012065873.tif 000015
【図１４】
2012065873.tif 000016
【図１５】
2012065873.tif 000017